(57)【要約】【課題】レンズの取付けを容易にし、取付け時のレンズの割れを防止し、使用時にレンズにがたが生じるのを防止する。【解決手段】レンズ２０の内縁部及び外縁部に孔２１を設け、孔２１に、内周面にねじ１１を設けたパイプねじ１０を挿入する。レンズ２０の表面側にブリッジ１の取付部２及び鎧４の取付部５を沿わせ、その先端部の孔をレンズ２０の孔２１に一致させる。レンズ２０の表面側から取付部２、５の孔内に止めねじ１６を挿通し、止めねじ１６をパイプねじ１０の内周側のねじ１１に螺合させて締め付ける。止めねじ１６を締め付けると、パイプねじ１０が押し広げられて拡径され、パイプねじ１０の外周面１２がレンズ２０のねじ孔２１の内周側に強く押圧される。【選択図】　　　　図３
2004144909.tif 000002
【特許請求の範囲】
【請求項１】
メガネフレームのブリッジと鎧との間にレンズを取り付けるレンズ取付具であって、レンズの内縁部、および／または外縁部に設けられる孔内に挿入されるとともに、内周面にねじが設けられるパイプねじと、内縁部のパイプねじとブリッジの取付部の孔とを一致させ、および／または外縁部のパイプねじと鎧の取付部の孔とを一致させ、この状態で各取付部の孔内を挿通させて各パイプねじの内周側に螺合させて締め付けることにより、各パイプねじを押し広げて拡径させる止めねじとを備えたことを特徴とするレンズ取付具。
【請求項２】
前記パイプねじの一端にはフランジが設けられ、このフランジを前記ブリッジ及び鎧の取付部が設けられる前記レンズの面と反対側の面に当接させるように構成した請求項１に記載のレンズ取付具。
【請求項３】
前記フランジの周面を多角形状に形成したことを特徴とする請求項２に記載のレンズ取付具。
【請求項４】
メガネフレームのブリッジと鎧との間にレンズを取り付けるレンズ取付部の構造であって、レンズの内縁部、および／または外縁部に孔を設け、該孔内に、周面にねじを設けたパイプねじを挿入し、内縁部のパイプねじとブリッジの取付部の孔とを一致させ、および／または外縁部のパイプねじと鎧の取付部の孔とを一致させ、各取付部の孔内に止めねじを挿通させ、各止めねじを各パイプねじの内周側に螺合させて締め付けて各パイプねじを押し広げて拡径させるように構成したことを特徴とするレンズ取付部の構造。
【請求項５】
前記パイプねじの一端にはフランジが設けられ、このフランジを前記ブリッジ及び鎧の取付部が設けられる前記レンズの面と反対側の面に当接させるように構成した請求項４に記載のレンズ取付部の構造。
【請求項６】
前記フランジの周面を多角形状に形成したことを特徴とする請求項５に記載のレンズ取付部の構造。
【発明の詳細な説明】
【０００１】
【発明の属する技術分野】
この発明はレンズ取付具及びレンズ取付部の構造に関し、特に、ツーポイント式のメガネフレームのブリッジと鎧との間にレンズを取り付けるのに有効なレンズ取付具及びレンズ取付部の構造に関するものである。
【０００２】
【従来の技術】
ツーポイント式のメガネフレームには種々のタイプのものがあり、たとえば、Ｉ型状のブリッジと、ブリッジに取り付けられるノーズパッドと、Ｌ型状の鎧と、鎧に蝶番等を介して回動自在に取り付けられるテンプルとを具えたものが一般に知られている。
【０００３】
そして、このような構成のメガネフレームのブリッジと鎧との間にレンズを取り付けるには、まず、レンズの内縁部及び外縁部にドリル等の工具を用いて孔を貫通した状態で設け、このレンズを２枚用意して所定の間隔をおいて位置し、両レンズ間にブリッジを位置し、ブリッジの両端の取付部をレンズの表面側に位置し、各取付部の孔とレンズの内縁部の孔とを一致させ、レンズの表面側から両孔内にワッシャを介して止めねじを挿通し、レンズの裏面側から突出した止めねじの部分にワッシャを介してナットを螺合させ、所定のトルクで締め付ける。そして、止めねじの先端部に緩み防止用の袋ナットを螺合させ、所定のトルクで締め付ける。
【０００４】
そして、各レンズの外縁部に鎧をそれぞれ位置し、鎧の一端の取付部をレンズの表面側に位置し、取付部の孔とレンズの外縁部の孔とを一致させ、レンズの表面側から両孔内にワッシャを介して止めねじを挿通し、レンズの裏面側から突出した止めねじの部分にワッシャを介してナットを螺合させ、所定のトルクで締め付ける。そして、止めねじの先端部に緩み防止用の袋ナットを螺合させ、所定のトルクで締め付ける。
【０００５】
このようにして、ツーポイント式のメガネフレームのブリッジと鎧との間に２枚のレンズを取り付けることができるものである。
【０００６】
しかしながら、止めねじにナットを螺合させて締め付けたときに、レンズに厚み方向への過大な応力が加わり、レンズが孔の部分から割れてしまうことがあるため、組立てに神経を使う必要があり、組立てに熟練を要することになる。
【０００７】
さらに、止めねじ、ワッシャ、ナット、及び袋ナットを使用しているため、部品の点数が多く、部品代が嵩み、組立てコストが高くなる。
【０００８】
さらに、止めねじにナットを螺合させて締め付ける場合に、特殊な構造の工具を必要とするため、経験の浅い作業者ではレンズに傷を付けてしまうことがある。
【０００９】
さらに、ナット及び袋ナットがレンズの裏面側に位置しているため、視界を妨げるとともに、レンズを拭く場合にそれらが邪魔になる。
【００１０】
【発明が解決しようとする課題】
この発明は前記のような従来のもののもつ問題点を解決したものであって、レンズをメガネフレームのブリッジと鎧との間に取り付ける場合に、レンズに過大な応力が加わってレンズが孔の部分から割れてしまうようなことがなく、また、部品の点数を少なくすることができ、部品代を安く抑えることができるとともに、組立てコストを安く抑えることができ、さらに、特殊な構造の工具を使用する必要がなく、経験の浅い作業者であってもレンズに傷を付けることなく、容易にレンズを取り付けることができ、さらに、視界を妨げることがなく、レンズを拭く場合に邪魔になるようなことがない、レンズ取付具及びレンズ取付部の構造を提供することを目的とするものである。
【００１１】
【課題を解決するための手段】
上記の問題点を解決するために、この発明の請求項１に係るレンズ取付具は、メガネフレームのブリッジと鎧との間にレンズを取り付けるレンズ取付具であって、レンズの内縁部、および／または外縁部に設けられる孔内に挿入されるとともに、内周面にねじが設けられるパイプねじと、内縁部のパイプねじとブリッジの取付部の孔とを一致させ、および／または外縁部のパイプねじと鎧の取付部の孔とを一致させ、この状態で各取付部の孔内を挿通させて各パイプねじの内周側に螺合させて締め付けることにより、各パイプねじを押し広げて拡径させる止めねじとを備えた手段を採用したものである。また、請求項２に係るレンズ取付具は、請求項１に記載のレンズ取付具において、前記パイプねじの一端にはフランジが設けられ、このフランジを前記ブリッジ及び鎧の取付部が設けられる前記レンズの面と反対側の面に当接させるように構成した手段を採用したものである。さらに、請求項３に係るレンズ取付具は、請求項２に記載のレンズ取付具において、前記フランジの周面を多角形状に形成した手段を採用したものである。
さらに、この発明の請求項４に係るレンズ取付部の構造は、メガネフレームのブリッジと鎧との間にレンズを取り付けるレンズ取付部の構造であって、レンズの内縁部、および／または外縁部に孔を設け、該孔内に、周面にねじを設けたパイプねじを挿入し、内縁部のパイプねじとブリッジの取付部の孔とを一致させ、および／または外縁部のパイプねじと鎧の取付部の孔とを一致させ、各取付部の孔内に止めねじを挿通させ、各止めねじを各パイプねじの内周側に螺合させて締め付けて各パイプねじを押し広げて拡径させるように構成した手段を採用したものである。さらに、請求項５に係るレンズ取付部の構造は、請求項４に記載のレンズ取付部の構造において、前記パイプねじの一端にはフランジが設けられ、このフランジを前記ブリッジ及び鎧の取付部が設けられる前記レンズの面と反対側の面に当接させるように構成した手段を採用したものである。さらに、請求項６に係るレンズ取付部の構造は、請求項５に記載のレンズ取付部の構造において、前記フランジの周面を多角形状に形成した手段を採用したものである。
【００１２】
【作用】
この発明は上記のような手段を採用したことにより、レンズの内縁部及び外縁部に設けた孔内にパイプねじを挿入させ、内縁部のパイプねじとブリッジの取付部の孔とを一致させ、外縁部のパイプねじと鎧の取付部の孔とを一致させ、各取付部の孔内にそれぞれ止めねじを挿通し、各止めねじを各パイプねじに螺合させて締め付けることにより、パイプねじが押し広げられて拡径され、パイプねじの外周面がレンズの孔の内周面に押圧されることになる。
【００１３】
【発明の実施の形態】
以下、図面に示すこの発明の実施の形態について説明する。
図１〜図５には、この発明によるレンズ取付具及びレンズ取付部の構造の一実施の形態が示されていて、このレンズ取付具及びレンズ取付部の構造は、ツーポイント式のメガネフレームにレンズを取り付けるのに有効なものであって、メガネフレームのブリッジ１と鎧４との間に、パイプねじ１０と止めねじ１６との協働によりレンズ２０を取り付けるように構成したものである。
【００１４】
ツーポイント式のメガネフレームは、Ｉ型状のブリッジ１と、ブリッジ１に取り付けられるノーズパッド８と、Ｌ型状の鎧４と、鎧４に回動自在に取り付けられる棒状のテンプル９とを具えている。
【００１５】
ブリッジ１の両端部にはそれぞれ取付部２、２が設けられるとともに、各取付部２の先端部にはねじ挿通用の孔（図示せず）が貫通した状態で設けられ、さらに、各取付部２の根元部にはレンズ２０の周面に当接してレンズ２０の回動を阻止する円弧状のストッパー３が一体に設けられるようになっている。
【００１６】
鎧４の一端部にはそれぞれ取付部５が設けられるとともに、各取付部５の先端部にはねじ挿通用の孔６が貫通した状態で設けられ、さらに、各取付部５の根元部にはレンズ２０の周面に当接してレンズ２０の回動を阻止する円弧状のストッパー７が一体に設けられるようになっている。
【００１７】
鎧４の他端部は二又に形成されるとともに、その二又に形成された部分の一方にはねじ挿通用の孔（図示せず）が貫通した状態で設けられ、他方にはねじ孔（図示せず）が貫通した状態で設けられるようになっている。
【００１８】
テンプル９の一端部には鎧４の二又に形成された部分に係合可能な係合片（図示せず）が一体に設けられ、この係合片にはねじ挿通用の孔（図示せず）が貫通した状態で設けられるようになっている。
【００１９】
そして、テンプル９の一端部の係合片を鎧４の二又の部分に係合させ、この状態で両者間にねじ（図示せず）を挿通させて螺合させることで、鎧４にテンプル９を回動自在に連結することができるものである。
【００２０】
パイプねじ１０は、内周面に全周に渡ってねじ１１を設けた筒状をなすものであって、一端部には径方向外方に張り出るとともに、外周面１４が多角形状（この実施の形態においては六角形状）に形成されるフランジ１３が一体に設けられるようになっている。パイプねじ１０の内径は、止めねじ１６を螺合させたときに、他端部が押し広げられるように、止めねじ１６との嵌め合いをきつくしている。パイプねじ１０のフランジ１３の底面からの長さｌは、レンズ２０の厚みと同一若しくはレンズ２０の厚みよりも短く形成されている。
【００２１】
なお、図示はしないが、パイプねじ１０の他端部に内外周面間を貫通する切欠部を設けて、パイプねじ１０の他端部が押し広げられ易くしても良い。
【００２２】
止めねじ１６は、頭部１７と、頭部１７の中心部に一体に設けられる脚部１８とからなるものであって、脚部１８には全体に渡ってパイプねじ１０の内周側のねじ１１と螺合可能なねじ１９が設けられている。止めねじ１６の脚部１８の長さは、ブリッジ１の取付部２の厚みにレンズ２０の厚みを加えたもの、及び鎧４の取付部５の厚みにレンズ２０の厚みを加えたものと同一若しくは短く形成されている。
【００２３】
そして、上記のような構成のツーポイント式のメガネフレームにレンズ２０を取り付けるには、まず、レンズ２０の内縁部及び外縁部の所定の位置に、ドリル、タップ等の工具を使用してそれぞれ孔２１を貫通した状態で設け、このようなレンズ２０、２０を２枚用意する。
【００２４】
そして、各レンズ２０の各孔２１内にレンズ２０の裏面側からそれぞれパイプねじ１０を挿入し、各パイプねじ１０のフランジ１３をレンズ２０の裏面側にそれぞれ当接させる。
【００２５】
そして、２枚のレンズ２０、２０を所定の間隔をおいて位置し、両レンズ２０、２０の内縁部間にブリッジ１を位置し、ブリッジ１の両端部の取付部２、２をレンズ２０、２０の表面側に沿わせ、各取付部２の孔と各レンズ２０の内縁部の孔２１とを一致させる。
【００２６】
そして、各レンズ２０の表面側から止めねじ１６をブリッジ１の各取付部２の孔内にそれぞれ挿通し、各止めねじ１６を各パイプねじ１０の内周側のねじ１１に螺合させ、各パイプねじ１０のフランジ１３をスパナで保持し、この状態でドライバーにより各止めねじ１６を締め付ける。この場合、パイプねじ１０と止めねじ１６との嵌め合いをきつくしてあるので、各止めねじ１６を締め付けることによりパイプねじ１０は押し広げられて拡径され、パイプねじ１０の外周面１２がレンズ２０の孔２１の内周面に強く押圧されることになる。さらに、各止めねじ１６の頭部１７と各パイプねじ１０のフランジ１３との間で各取付部２及びレンズ２０が挟持されることにより、各取付部２がレンズ２０の表面に強く押し付けられる。
【００２７】
そして、各レンズ２０の外縁部にそれぞれ鎧４を位置し、各鎧４の取付部５を各レンズ２０の表面側に沿わせ、各取付部５の孔６と各レンズ２０の外縁部の孔２１とを一致させる。
【００２８】
そして、各レンズ２０の表面側から止めねじ１６を各鎧４の取付部５の孔６に挿通し、各止めねじ１６を各パイプねじ１０の内周側のねじ１１に螺合させ、各パイプねじ１０のフランジ１３をスパナで保持し、この状態でドライバーにより各止めねじ１６を締め付ける。この場合、パイプねじ１０と止めねじ１６との嵌め合いをきつくしてあるので、各止めねじ１６を締め付けることによりパイプねじ１０は押し広げられて拡径され、パイプねじ１０の外周面１２がレンズ２０の孔２１の内周面に強く押圧されることになる。さらに、各止めねじ１６の頭部１７と各パイプねじ１０のフランジ１３との間で各取付部５及びレンズ２０が挟持されることにより、各取付部２がレンズ２０の表面に強く押し付けられる。
【００２９】
このようにして、ツーポイント式のメガネフレームのブリッジ１と鎧４との間に２枚のレンズ２０、２０を取り付けることができるものである。
【００３０】
上記のように構成したこの実施の形態によるレンズ取付部の構造にあっては、パイプねじ１０と止めねじ１６との協働によってレンズ２０をブリッジ１と鎧４との間に取り付けるように構成しているので、部品の点数を少なくすることができ、部品代が嵩むことがないので、組立てコストを安く抑えることができることになる。
【００３１】
また、パイプねじ１０に止めねじ１６を螺合させて締め付けたときに、パイプねじ１０が押し広げられて拡径され、パイプねじ１０の外周面がレンズ２０の孔２１の内周面に強く押圧されることになる。しかも、各取付部２、５及びレンズ２０は、各パイプねじ１０のフランジ１３と止めねじ１６の頭部１７との間で挟持されるので、各取付部２、５はレンズ２０側に強く押し付けられることになる。したがって、パイプねじ１０及び止めねじ１６に緩みが発生するのを防止できるので、使用中にレンズ２０にがたが生じるのを防止できることになる。
【００３２】
さらに、パイプねじ１０に止めねじ１６を螺合させて締め付けても、荷重は主としてレンズ２０の孔２１を押し広げる方向に加わり、レンズ２０の厚み方向に過大な荷重が加わるようなことはないので、レンズ２０がねじ孔２１の部分から割れてしまうようなことはなく、組立てに神経を使う必要がなくなり、経験の浅い作業者であっても容易に組立てることができることになる。
【００３３】
さらに、パイプねじ１０及び止めねじ１６は、ドライバー及びスパナを使用することにより簡単に締め付けることができるので、特殊な構造の工具が不要となり、経験の浅い作業者であってもレンズ２０に傷を付けることなく、レンズ２０を取り付けることができることになる。
【００３４】
そして、レンズ２０の裏面側にナット及び袋ナットがなくなるので、視界を妨げるようなことがなくなり、また、レンズ２０を拭く場合にナット及び袋ナットが邪魔になるようなこともなくなる。
【００３５】
【発明の効果】
この発明は前記のように構成したことにより、パイプねじと止めねじとの協働によりレンズをブリッジと鎧との間に取り付けることができることになる。したがって、部品の点数を少なくすることができるので、部品代が嵩むようなことはなく、組立てコストを安く抑えることができることになる。また、パイプねじに止めねじを螺合させて締め付けたときに、パイプねじは押し広げられて拡径されることになるので、パイプねじの外周面がレンズの孔の内周面に強く押圧されることになる。しかも、各取付部及びレンズは、止めねじとパイプねじのフランジとの間で挟持されることになり、各取付部はレンズ側に強く押し付けられることになる。したがって、パイプねじ及び止めねじの緩みを防止することができることになり、使用中にレンズにがたが生じるようなことはなくなる。さらに、パイプねじに止めねじを締め付けたときに、主としてレンズの孔を広げる方向に荷重が加わり、レンズの厚み方向に加わる荷重は少ないので、レンズがねじ孔の部分から割れてしまうようなことはなく、経験の浅い作業者であっても安心してレンズを取り付けることができることになる。さらに、パイプねじ及び止めねじを締め付ける場合に、特殊な構造の工具を必要とすることはなく、ドライバー及びスパナにより簡単に締め付けることができるので、経験の浅い作業者であっても、レンズに傷を付けることなく、レンズを取り付けることができることになる。さらに、レンズの裏面側にナット及び袋ナットが存在しないので、それらによって視界が妨げられるようなことはなく、また、レンズを拭く場合にそれらが邪魔になるようなこともない。
【図面の簡単な説明】
【図１】この発明によるレンズ取付具及びレンズ取付部の構造の一実施の形態の全体を示した概略図である。
【図２】図１に示すものの部分拡大図である。
【図３】図２に示すもののＡ−Ａ線に沿って見た断面図である。
【図４】図１に示すもののパイプねじの拡大平面図である。
【図５】図４に示すものの正面図である。
【符号の説明】
１……ブリッジ
２……取付部
３……ストッパー
４……鎧
５……取付部
６……孔
７……ストッパー
８……ノーズパッド
９……テンプル
１０……パイプねじ
１１……ねじ
１２……外周面
１３……フランジ
１４……外周面
１６……止めねじ
１７……頭部
１８……脚部
１９……ねじ
２０……レンズ
２１……孔
【図１】
2004144909.tif 000003
【図２】
2004144909.tif 000004
【図３】
2004144909.tif 000005
【図４】
2004144909.tif 000006
【図５】
2004144909.tif 000007